(57)【要約】【課題】室内機の設置されている室内や室外の状況、および、室内機の消費電力量に基づき、室内の快適度を保ちつつ、省エネルギー対策を実現することができる空調制御システムおよびこのシステムを構成する空調制御装置とデマンド制御装置を得る。【解決手段】室内機の消費電力量に応じた警報種別に対応する制御情報テーブルを特定する手段と、室外の状況に応じた着衣量と室内の作業強度に対応する制御係数テーブルを特定し、室内の温湿度に対応する制御係数を特定した制御係数テーブルから読み出す手段と、制御係数テーブルから読み出した制御係数に対応する室内機の動作を制御する制御情報を特定した制御情報テーブルから読み出して室内機に送信する手段と、を備える。【選択図】図１
2007298229.tif 000002
【特許請求の範囲】
【請求項１】
室内に設置されている室内機と、この室内の温湿度を感知するセンサのそれぞれと通信ネットワークを介して接続し、
時刻に対応する作業強度を記憶している作業強度テーブルと、
室内の温湿度に対応する制御係数を記憶している制御係数テーブルと、
室内機の動作を制御する制御情報を制御係数ごとに記憶している制御情報テーブルと、
を備え、
上記制御係数テーブルは作業強度に対応して複数存在し、
現在の時刻データを取得する手段と、
上記センサから室内の温湿度データを受信する手段と、
上記時刻データに対応する作業強度を上記作業強度テーブルから読み出す手段と、
上記受信した室内の温湿度データに対応する制御係数を、上記読み出した作業強度に対応する制御係数テーブルから読み出す手段と、
上記読み出した制御係数に対応する制御情報を、上記制御情報テーブルから読み出して上記室内機に送信する手段と、
を有してなることを特徴とする空調制御装置。
【請求項２】
室内に設置されている室内機と、この室内の温湿度を感知する第１センサと、室外の温度を感知する第２センサのそれぞれと通信ネットワークを介して接続し、
月ごとの室外の温度に対応する着衣量を記憶している着衣量テーブルと、
室内の温湿度に対応する制御係数を記憶している制御係数テーブルと、
室内機の動作を制御する制御情報を制御係数ごとに記憶している制御情報テーブルと、
を備え、
上記制御係数テーブルは着衣量に対応して複数存在し、
現在の月データを取得する手段と、
上記第１センサから室内の温湿度データを受信する手段と、
上記第２センサから室外の温度データを受信する手段と、
上記室外の温度データと月データの組合せに対応する着衣量を上記着衣量テーブルから読み出す手段と、
上記受信した室内の温湿度データに対応する制御係数を、上記読み出した着衣量に対応する制御係数テーブルから読み出す手段と、
上記読み出した制御係数に対応する制御情報を、上記制御情報テーブルから読み出して上記室内機に送信する手段と、
を有してなることを特徴とする空調制御装置。
【請求項３】
室内に設置されている室内機と、この室内の温湿度を感知する第１センサと、室外の温度を感知する第２センサのそれぞれと通信ネットワークを介して接続し、
月ごとの室外の温度に対応する着衣量を記憶している着衣量テーブルと、
時刻に対応する作業強度を記憶している作業強度テーブルと、
室内の温湿度に対応する制御係数を記憶している制御係数テーブルと、
室内機の動作を制御する制御情報を制御係数ごとに記憶している制御情報テーブルと、
を備え、
上記制御係数テーブルは着衣量と作業強度の組合せに対応して複数存在し、
現在の月データと時刻データとを取得する手段と、
上記第１センサから室内の温湿度データを受信する手段と、
上記第２センサから室外の温度データを受信する手段と、
上記室外の温度データと月データの組合せに対応する着衣量を上記着衣量テーブルから読み出す手段と、
上記時刻データに対応する作業強度を上記作業強度テーブルから読み出す手段と、
上記受信した室内の温湿度データに対応する制御係数を、上記読み出した着衣量と作業強度の組合せに対応する制御係数テーブルから読み出す手段と、
上記読み出した制御係数に対応する制御情報を、上記制御情報テーブルから読み出して上記室内機に送信する手段と、
を有してなることを特徴とする空調制御装置。
【請求項４】
室内機の消費エネルギー量に応じて複数の警報種別のいずれかを送信するデマンド制御装置と通信ネットワークを介して接続し、
制御情報テーブルは、上記複数の警報種別のそれぞれに対応して複数存在し、
警報種別を上記デマンド制御装置から受信する手段と、
室内機に送信する制御情報が読み出される制御情報テーブルを、上記複数存在する制御情報テーブルの中から上記受信した警報種別に応じて選択する手段と、
をさらに備えた請求項１乃至３のいずれかに記載の空調制御装置。
【請求項５】
コンピュータを請求項１乃至４のいずれかに記載の空調制御装置として機能させることを特徴とする空調制御プログラム。
【請求項６】
室内機の消費エネルギー量を計測するエネルギー測定計と、この室内機の動作を制御する空調制御装置のそれぞれと通信ネットワークを介して接続し、
積算エネルギー量を記憶している第１記憶部と、
許容エネルギー量を記憶している第２記憶部と、
上記積算消費エネルギー量と上記許容エネルギー量の大小を比較した結果に対応する警報種別を記憶している第３記憶部と、
上記消費エネルギー量を上記エネルギー測定計から受信する手段と、
上記受信した消費エネルギー量を用いて上記第１記憶部に記憶されている積算消費エネルギー量を更新する手段と、
上記第１記憶部に記憶されている積算消費エネルギー量と上記第２記憶部に記憶されている許容エネルギー量の大小を比較する手段と、
上記比較結果に対応する警報種別を上記第３記憶部から読み出して上記空調制御装置に送信する手段と、
を有してなることを特徴とするデマンド制御装置。
【請求項７】
室内機の消費エネルギー量を計測するエネルギー測定計と、この室内機の動作を制御する空調制御装置のそれぞれと通信ネットワークを介して接続し、
積算エネルギー量を記憶している第４記憶部と、
許容エネルギー量を記憶している第５記憶部と、
上記積算消費エネルギー量と上記許容エネルギー量の大小を比較した結果に基づく超過予測時間に対応する警報種別を記憶している第６記憶部と、
上記消費エネルギー量を上記エネルギー測定計から受信する手段と、
上記消費エネルギー量から予測消費エネルギー量を算出する手段と、
上記超過予想消費エネルギー量を用いて上記第４記憶部に記憶されている積算消費エネルギー量を更新する手段と、
上記第４記憶部に記憶されている積算消費エネルギー量と上記第５記憶部に記憶されている許容エネルギー量の大小を比較する手段と、
上記比較結果に基づく超過予測時間を算出する手段と、
上記超過予測時間に対応する警報種別を上記第６記億部から読み出して上記空調制御装置に送信する手段と、
を有してなることを特徴とするデマンド制御装置。
【請求項８】
コンピュータを請求項６又は７に記載のデマンド制御装置として機能させることを特徴とするデマンド制御プログラム。
【請求項９】
室内機の動作を制御する空調制御装置と、デマンド制御装置とを備え、
上記空調制御装置は請求項１乃至４のいずれかに記載の空調制御装置であり、上記デマンド制御装置は請求項６又は７に記載のデマンド制御装置であることを特徴とする空調制御システム。
【発明の詳細な説明】
【技術分野】
【０００１】
本発明は、室内に設置された冷暖房機などの空調制御に関するものであり、特に、室内の快適度を保ちながら省エネルギー対策を可能とするものである。
【背景技術】
【０００２】
室内の空調環境を快適に保持するには、たとえば、室内の温度が上昇して暑いと感じるときには室内機の設定温度を下げ、一方、室内の温度が低下して寒いと感じるときには室内機の設定温度を上げるなど、室内の温度や湿度に応じて空調制御を行う必要がある。
これまでにも、快適な空調環境を実現する空調制御に関して提案がなされている（たとえば、特許文献１参照）。
【０００３】
しかしながら、室内の快適度を保ちつつ省エネルギー対策を可能とする空調制御に関する提案はされていない。すなわち、室内の快適度を保つには、たとえば、室内の温湿度を所定の目標値となるように室内機の動作を制御（設定温度や風量の変更など）する必要があるが、室内機の消費電力量を無視して室内の快適度を保つことは、近年の省エネルギー化への要求に反してしまう。また、室内の快適度は、時間帯や部屋の用途などの室内の状況や、その日の天候などの室外の状況などを考慮する必要もある。
【特許文献１】特許第３０４９２６６号明細書
【発明の開示】
【発明が解決しようとする課題】
【０００４】
本発明は、以上のような従来の実情に鑑みてなされたもので、室内機の設置されている室内や室外の状況、および、室内機の消費電力量に基づき、室内の快適度を保ちつつ、省エネルギー対策を実現することができる空調制御システムおよびこのシステムを構成する空調制御装置とデマンド制御装置を提供することを目的とする。
【課題を解決するための手段】
【０００５】
本発明にかかる空調制御システムは、室内機の消費電力量に応じた警報種別に対応する制御情報テーブルを特定する手段と、室外の状況に応じた着衣量と室内の作業強度に対応する制御係数テーブルを特定し、室内の温湿度に対応する制御係数を特定した制御係数テーブルから読み出す手段と、制御係数テーブルから読み出した制御係数に対応する室内機の動作を制御する制御情報を特定した制御情報テーブルから読み出して室内機に送信する手段とを有してなる。
【発明の効果】
【０００６】
本発明によれば、現在月や外気温に応じて特定される着衣量、時間帯に応じて特定される室内の作業強度、室内の温湿度、室内機の消費電力量などに基づいて、室内機の動作を制御することができるため、室内の快適度を保ちつつ省エネルギー対策を可能とすることができる。
【発明を実施するための最良の形態】
【０００７】
以下、図面を参照しながら、本発明にかかる空調制御装置と制御プログラム、デマンド制御装置と制御プログラム、空調制御システムの実施の形態について説明する。
【０００８】
なお、以下に説明する実施の形態は、病院の建物内の事務室、診察室、病室のそれぞれの室内に設置されている室内機の動作を制御する場合を例に説明する。
【０００９】
また、本実施の形態では、室内機を動作する動力源として電気を用いた場合を例に説明する。すなわち、以下の説明中、消費電力量とは消費エネルギー量の例であり、デマンドとは電力デマンドのことである。
ただし、本発明において、室内機の動力源としては、ガスやその他のエネルギーを用いたものとしてもよい。
【００１０】
本発明にかかる空調制御システム（以下、「本システム」という）は、室内の温湿度が快適な温湿度の範囲内にあるか否かを判定し、快適な範囲内にないときに、快適な温湿度になるように室内機の動作を制御する。
【００１１】
ここで、本システムにおける快適な温度などの例として、たとえば、ASHRAE（米国暖房・冷房・空気調和学会）Standardを用いる。
ASHRAE Standardでは、快適な温度の範囲を次のように示している。
夏期の条件は、標準着衣量が０．５cloで、温度が２２．８〜２６．１℃、絶対湿度の上限は露点温度で１６．７℃（絶対湿度に換算すると１１．８ｇ／ｋｇ）、下限は露点温度１．３℃（絶対湿度で４．２ｇ／ｋｇ）である。
冬期の条件は、標準着衣量が０．９ｃloで、温度が２０．０〜２３．６℃、湿度に関しては夏期と同じである。
なお、着衣量とは、単位「clo」で表される衣服の断熱性を表す指標であり、皮膚表面から着衣表面まで０．１５５ｍ２℃／Ｗの熱抵抗値である。ちなみに、冬のスリーピーススーツが１clo程度である。
【００１２】
本システムは、ASHRAEの標準であるＳＥＴ*（Standard New Effective Temperature）に基づいて、室内が快適な温湿度になるように、室内機の動作を制御する。したがって、本システムでは、室温が高い時期には、同じ室温でも送風を強く（気流速度を早く）すれば涼しく感じることを利用して、冷房して室温を下げることなく、風量を多くすることで快適度を保つように構成されている。一方、室温が低い時期には、室内の天井付近は温度が高く、床付近は温度が低いことから、直ちに暖房運転をすることなく、まず送風して空気をかき混ぜることで快適度を保つように構成されている。
また、本システムでは、後述するデマンド制御装置が、室内機の消費電力量を監視し、所定の消費電力量を超えたとき、または超えそうなときに、デマンド警報を発報し、発報のレベルに合わせて快適度を下げて空調制御を行う。これにより、室内の快適度を保ちつつ、省エネルギー化を実現している。
【００１３】
（本システムの構成）
以下、本システムの構成について説明する。
図１は、本システムの概要の一例を示す模式図である。
本システムは、事務室Ｒ１、診察室Ｒ２、病室Ｒ３が快適な環境となるように、各室内に設置されている室内機の動作を制御するものであり、空調制御装置１、外気温度センサ２、室内温湿度センサ３、室内機４、デマンド制御装置５、電力計６、管理サーバ７、管理端末８、を有してなる。
【００１４】
空調制御装置１は、室内機４に制御情報を送信する情報処理装置である。制御情報については、後述する。空調制御装置１は、通信ネットワークを介して、外気温度センサ２、各室内に設置された温湿度センサ３と室内機４、デマンド制御装置５、管理サーバ７のぞれぞれと通信可能となるように接続されている。
空調制御装置１では、本発明にかかる空調制御プログラムが動作していて、空調制御装置１内の各手段により、後述する情報処理を実現している。
【００１５】
外気温度センサ２は、病院の建物の外の気温を感知するセンサである。
外気温度センサ２は、本システム内で１つであっても、２つ以上であってもよく、たとえば建物の形状や日照状態等から測定位置よって外気温度が異なる場合は、２つ以上設け、本システムがその平均値を得るようにしてもよい。
【００１６】
室内温湿度センサ３は、室内の温湿度を感知するセンサである。本実施の形態では、各部屋に１つずつ設置されており、事務室Ｒ１に室内温湿度センサ３１、診察室Ｒ２に室内温湿度センサ３２、病室Ｒ３に室内温湿度センサ３３がそれぞれ設置されている。
【００１７】
室内機４は、室内の温湿度を調節する装置である。本実施の形態では、各部屋に１つずつ設置されており、事務室Ｒ１内に室内機４１、診察室Ｒ２内に室内機４２、病室Ｒ３内に室内機４３がそれぞれ設置されている。
室内温湿度センサ３と室内機４との対応付けは、１対１でもよいし、１対複数であってもよい。したがって、大きな室内であれば、中央部付近に室内温湿度センサ３を設置し、周囲に設置した複数の室内機４と対応して設けるようにしてもよい。本実施の形態では、室内温湿度センサ３１に対して室内機４１、室内温湿度センサ３２に対して室内機４２、室内温湿度センサ３３に対して室内機４３、がそれぞれ１対１に対応している。
【００１８】
デマンド制御装置５は、室内機４（４１，４２，４３）の消費電力量を監視し、所定の電力量を超過したとき、又は超過しそうなときに、警報種別を空調制御装置１に送信する情報処理装置である。警報種別については、後述する。
デマンド制御装置５では、本発明にかかるデマンド制御プログラムが動作していて、デマンド制御装置５内の各手段により、後述する情報処理を実現している。
【００１９】
電力計６は、室内機４（４１，４２，４３）の消費電力量を計測する装置であり、病院の建物内の受配電盤内に設置されている。
電力計６は、通信ネットワークを介して、デマンド制御装置５と通信可能となるように接続されている。
【００２０】
管理サーバ７は、室内の温湿度や、空調制御装置１やデマンド制御装置５の動作履歴や室内機の動作状況を示す情報、たとえば、空調制御装置１が室内機４に送信した制御情報や、デマンド制御装置５が空調制御装置１に送信した警報種別などを、空調制御装置１などから収集して記憶し、管理端末８に送信する情報処理装置である。
【００２１】
管理サーバ７や管理端末８は、本システムの管理者や運用者などが管理端末８から管理サーバ７にアクセスし、管理サーバ７内に記憶されている前述の情報を閲覧することができるように構成されている。すなわち、たとえば、管理サーバ７がＷｅｂサーバとして動作し、管理端末８のブラウザを用いて管理者などが閲覧する。
また、管理サーバ７や管理端末８は、本システムの管理者などが後述する空調制御装置１やデマンド制御装置５に記憶されている各種テーブル内の情報を管理端末８から入力して、管理サーバ７を介して空調制御装置１などに設定（送信）することができるように構成されている。
管理サーバ７や管理端末８は、パーソナルコンピュータなどで実現することができる。
【００２２】
以上説明した構成を備える本システムは、外気温度センサ２が感知した外気温度と、各部屋に設置されている室内温湿度センサ３が感知した室内の温湿度に基づいて、室内に設置されている室内機４の動作を制御する。
また、本システムは、室内機の消費電力量を監視しているデマンド制御装置５が発報するデマンド警報（警報種別）に基づいて、省エネルギー化を実現するように各室内機４１，４２，４３の動作を制御する。
【００２３】
（本システムのネットワーク構成）
図２は、本システムを構成する装置群の接続形態の例を示すネットワーク構成図である。空調制御装置１、外気温度センサ２、室内温湿度センサ３ｎ（３１，３２，３３）、室内機４ｎ（４１，４２，４３）、デマンド制御装置５、電力計６、管理サーバ７は、第１の通信ネットワークＮＷ１を介して接続している。また、管理サーバ７と管理端末８は、第２の通信ネットワークＮＷ２を介して接続している。
【００２４】
ここで、通信ネットワークＮＷ１の例としては、エシェロン社のLONWORKS（登録商標）がある。すなわち、通信ネットワークＮＷ１に接続している各装置には「ニューロンチップ」と呼ばれる通信と制御の両機能を持つＬＳＩが埋め込まれていて、各装置は「neuron ID」と呼ばれる識別情報で特定され、ＴＣＰ／ＩＰに準拠したLontalkと呼ばれる通信プロトコルで通信をする。
一方、通信ネットワークＮＷ２の例としては、インターネットなどのコンピュータ通信網がある。
【００２５】
（本システムで用いられる情報）
次に、本システムで用いられる情報の関係について、図３を用いて説明する。なお、各情報の内容については、後述する。
【００２６】
まず、現在月と外気温から着衣量が決定される。また、現在時刻（時間帯）から部屋ごとの作業強度が決定される。作業強度とは、作業の強度を示す指標であり、単位「met」で表される。作業強度は、作業のエネルギー消費量をエネルギー代謝率で表すため、性別、年齢、体格などの影響を受けることがない。作業強度の例として、たとえば、安静で0.65met、椅位軽作業で1.0〜1.2metである。
次に、部屋ごと、つまり室内機ごとに、複数存在する制御係数テーブルの中から、着衣量と作業強度の組合せに対応する制御係数テーブルが選択される。
次に、室内機ごとに、室内の温湿度に対応する制御係数が、選択された制御係数テーブルから読み出される。
一方、複数存在する制御情報テーブルの中から、警報種別に対応する制御情報テーブルが選択される。
次に、室内機ごとに、制御係数テーブルから読み出された制御係数に対応する制御情報が、選択された制御情報テーブルから読み出される。
この読み出された室内機ごとの制御情報が、各部屋の室内機に送信される。
【００２７】
（空調制御装置１の構成）
次に、空調制御装置１について説明する。
図４は、空調制御装置１の実施の形態を示すブロック図である。
空調制御装置１は、時刻データ取得部１０１、外気温データ取得部１０２、月データ取得部１０３、着衣量算出部１０４、作業強度算出部１０５、制御係数テーブル選択部１０６、室内温湿度データ取得部１０７、制御係数取得部１０８、警報種別取得部１０９、制御情報テーブル選択部１１０、制御情報取得部１１１、制御情報送信部１１２、タイマー１１３、時刻判定部１１４、及び記憶部を有してなる。
記憶部には、着衣量テーブルＴＢＬ１０１、作業強度テーブルＴＢＬ１０２、対応表ＴＢＬ１０３、制御係数テーブルＴＢＬ１０４、警報種別データベースＤＢ１０１、デマンド制御テーブルＴＢＬ１０５、制御情報テーブルＴＢＬ１０６、アドレステーブルＴＢＬ１０７が記憶されている。
【００２８】
空調制御装置１は、図示しないが、ＣＰＵ（中央処理装置）とプログラム記憶部とを有する。ＣＰＵは、プログラム記憶部に記憶されたプログラムに従い、空調制御装置１の各手段を統制制御し、プログラム処理を実行する。プログラム記憶部は、ＲＯＭ（Read Only Memory）やＲＡＭ（Random Access Memory）等で構成され、空調制御装置１が使用する各種プログラムを記憶している。
【００２９】
なお、空調制御装置１では、本発明にかかる空調制御プログラム（以下、「本プログラム」という）が動作して空調制御装置１内の各手段を制御することで、以下に説明する空調制御方法（以下、「本方法」という）を実現する。
また、本プログラムを記録したコンピュータ読取可能な記録媒体（以下、「本記録媒体」という）を用いれば、図示しないコンピュータを空調制御装置１と同様に機能させることができる。すなわち、図示しないコンピュータが、本記録媒体から本プログラムを読取、実行することで、本方法を実現することができる。
【００３０】
以下、空調制御装置１内の各手段について説明する。
まず、記憶部に記憶されている各データベースについて説明する。なお、以下の説明中、データベースは符号「ＴＢＬ」と「ＤＢ」で示している。符号「ＴＢＬ」は、いわゆるマスタテーブルを示していて、本システムの管理者などによる初期設定などを除いて、本システムによる情報処理の結果、記憶されている情報が更新されることはない。一方、符号「ＤＢ」は、本システムによる情報処理の結果、記憶されている情報が更新されるデータベースを示している。
【００３１】
（着衣量テーブル）
着衣量テーブルＴＢＬ１０１とは、月ごとの外気温別の着衣量を記憶しているデータベースである。
図５は、ＴＢＬ１０１に記憶されている情報の例を示す模式図であり、たとえば、外気温「２５℃」と月「５月」に関連付けて着衣量「薄」が記憶されていることを示している。
なお、図５には、外気温は、着衣量を決定する日の午前８時の情報（気温）を用いることが示されているが、「午前８時」以外の外気温を用いても構わない。また、図５には、外気温が「５℃おき」に設定されていることが示されているが、本発明においてはこれに限らず、たとえば、「１℃おき」に設定するなどしてもよい。
【００３２】
（作業強度テーブル）
作業強度テーブルＴＢＬ１０２とは、部屋ごとの時間帯別の作業強度を記憶しているデータベースである。ここで、本実施の形態では、部屋ごとに１台の室内機が設置されているため、ＴＢＬ１０２には、本システムが室内機を特定するための情報である室内機ＩＤと時間帯に関連付けて作業強度が記憶されている。
図６は、ＴＢＬ１０２に記憶されている情報の例を示す模式図であり、たとえば、時間帯「８：００〜２０：５９」と室内機ＩＤ「４１」に関連付けて作業強度「強」が記憶されていることを示している。
なお、図６には、時間帯が「８：００〜２０：５９」と「２１：００〜７：５９」に設定されているが、時間帯は部屋の用途などに応じて設定するとよい。また、図６には、時間帯が各部屋で共通に設定されているが、部屋ごとに異なる時間帯を設定してもよい。
【００３３】
（対応表）
対応表ＴＢＬ１０３とは、着衣量ごとの作業強度別の制御係数テーブル識別子を記憶しているデータベースである。制御係数テーブル識別子とは、空調制御装置１が制御係数テーブルを特定するために用いる情報である。
図７は、ＴＢＬ１０３に記憶されている情報の例を示す模式図であり、たとえば、着衣量「普」と作業強度「弱」に関連付けて制御係数テーブルの識別子「制御係数テーブル１」が記憶されていることを示している。
【００３４】
（制御係数テーブル）
制御係数テーブルＴＢＬ１０４とは、相対湿度ごとの室温別の制御係数を記憶しているデータベースである。
図８は、ＴＢＬ１０４に記憶されている情報の例を示す模式図であり、たとえば、相対湿度「１０％」と室温「１８℃」に関連付けて制御係数「＋３」が記憶されていることを示している。
なお、図８には、室温が「２℃おき」に設定されているが、本発明においてはこれに限らず、たとえば、「１℃おき」に設定するなどしてもよい。また、図８には、相対湿度が１０％を最初に「２０％おき」に設定されているが、本発明においてはこれに限らず、たとえば、「１０％おき」や「５％おき」に設定するなどしてもよい。
【００３５】
（警報種別データベース）
警報種別データベースＤＢ１０１とは、空調制御装置１がデマンド制御装置５から受信した警報種別を記憶するデータベースである。
図９は、ＤＢ１０１に記憶されている情報の例を示す模式図であり、警報種別「２」が記憶されていることを示している。ＤＢ１０１に記憶されている警報種別は、空調制御装置１が制御装置５から警報種別を受信する都度、上書き保存される（更新される）。
【００３６】
（デマンド制御テーブル）
デマンド制御テーブルＴＢＬ１０５は、警報種別ごとの部屋種別別の制御情報テーブル識別子を記憶しているデータベースである。なお、前述のＴＢＬ１０２と同様、部屋ごとに室内機が設置されていることから、本実施の形態では、ＴＢＬ１０５には、制御情報テーブル識別子が警報種別と室内機ＩＤの組合せに関連付けて記憶されている。
図１０は、ＴＢＬ１０５に記憶されている情報の例を示す模式図であり、たとえば、警報種別「０」と室内機ＩＤ「４１」に関連付けて制御情報テーブル識別子「制御情報テーブル０」が記憶されていることを示している。
【００３７】
（制御情報テーブル）
制御情報テーブルＴＢＬ１０６は、制御係数に対応する制御情報を記憶しているデータベースである。制御情報は、「風量」「運転モード」「偏差温度」の３種類の情報から構成されている。
図１１は、ＴＢＬ１０６に記憶されている制御情報の例を示す模式図であり、たとえば、制御情報テーブル識別子「制御情報テーブル０」の制御情報テーブルには、制御係数「＋３」と関連付けて制御情報「強（風量）」「暖房（運転モード）」「＋２（偏差温度）」が記憶されていることを示している。
なお、本実施の形態では、空調制御装置１内には３つのＴＢＬ１０６が存在しているが、図１１は、説明の便宜上、制御係数に関連付けて各制御情報テーブルに記憶されている制御情報を１つの表にして示している。
【００３８】
図１１に示すように、同じ制御係数に対して、３つのＴＢＬ１０６（制御情報テーブル識別子＝０，１，２）には、異なる制御情報が記憶されている（同じ場合もある）。すなわち、たとえば、制御係数「＋３」に対して、３つの制御情報テーブルには、風量「強」「中」「弱」、運転モード「暖房」「暖房」「暖房」、偏差温度「＋２」「＋１」「＋１」が記憶されている。
【００３９】
後述するように、本システムは、デマンド制御装置５が判定した警報種別に応じて制御情報テーブルを選択し、制御情報を読み出して室内機に送信する。ここで、警報種別は、室内機の消費電力量と所定の許容電力量との関係、つまり、消費電力量が許容電力量をすでに超過している、あるいは、超過が予想されるまでの時間に応じて判定される。
すなわち、本システムは、室内機の消費電力量と所定の許容電力量との関係に応じた制御情報を、室内機に送信するように構成されている。つまり、消費電力量が許容電力量を超過していない場合には、本システムは、ＳＥＴ＊理論に基づいた快適度を保つように室内機の動作を制御する。
一方、消費電力量が許容電力量を超過すると予想されるまでの時間が長時間の場合には、本システムは、ＳＥＴ＊理論に基づいた快適度より多少劣る快適度を保つように（快適度を多少犠牲にして）室内機の動作を制御する。また、消費電力量が許容電力量を超過すると予想されるまでの時間が短時間、あるいはすでに超過している場合には、本システムは、ＳＥＴ＊理論に基づいた快適度を保つより、消費電力量の低減を優先するように室内機の動作を制御する。
【００４０】
（アドレステーブル）
アドレステーブルＴＢＬ１０７は、室内機４ｎのアドレスと室内温湿度センサ３ｎのアドレスの組合せを室内機ＩＤに関連付けて記憶しているデータベースである。
図１２は、ＴＢＬ１０７に記憶されている情報の例を示す模式図であり、たとえば、室内機ＩＤ「４１」に関連付けて、対応する室内機のアドレス「Ａ１」と、対応する室内温湿度センサのアドレス「ａ１」が記憶されていることを示している。
【００４１】
（制御情報）
図１３は、本システムが室内機４１，４２，４３のそれぞれに送信する制御情報の例を示す模式図である。空調制御装置１から制御情報を受信した室内器４は、受信した制御情報に基づいて動作する。
本実施の形態では、たとえば、室内機ＩＤ「４３」の室内機に対して、制御情報「弱（風量）」「暖房（運転モード）」「＋１（偏差温度）」を送信することを示している。なお、図中「−」は、更新情報なし（現状のまま）であることを示している。
【００４２】
次に、空調制御装置１が備える、時刻データ取得部１０１、外気温データ取得部１０２、月データ取得部１０３、着衣量算出部１０４、作業強度算出部１０５、制御係数テーブル選択部１０６、室内温湿度データ取得部１０７、制御係数取得部１０８、警報種別取得部１０９、制御情報テーブル選択部１１０、制御情報取得部１１１、制御情報送信部１１２、タイマー１１３、時刻判定部１１４の各手段について説明する。
【００４３】
時刻データ取得部１０１とは、時刻判定部１１４からの問合せに応じて、もしくはタイマー１１３からの指示又は定期的に、現在の時刻データを取得して、時刻判定部１１４へ送信する手段である。現在の時刻データは、空調制御装置１が具備した計時部（図示省略）より取得する。
【００４４】
外気温データ取得部１０２とは、外気温度センサ２より室外の温度データを受信して着衣量算出部１０４へ送信し、室外の温度データを取得した旨の情報を月データ取得部１０３へ送信する手段である。
【００４５】
月データ取得部１０３とは、外気温データ取得部１０２からの室外の温度データを取得した旨の情報を受けて、現在の月データを取得し、着衣量算出部１０４へ送信する手段である。月データは、空調制御装置１が具備した計時部より取得する。
【００４６】
着衣量算出部１０４とは、外気温データ取得部１０２より受信した室外の温度データと、月データ取得部１０３より受信した月データの組合せに対応する着衣量を、着衣量テーブルＴＢＬ１０１を参照して読み出して、制御係数テーブル選択部１０６へ送信する手段である。
【００４７】
作業強度算出部１０５とは、時刻判定部１１４が時刻データ取得部１０１より取得した時刻データと、室内機ＩＤの組合せに対応する作業強度を、ＴＢＬ１０２を参照して読み出し、制御係数テーブル選択部１０６へ送信する手段である。
ここで、空調制御装置１が室内機ＩＤを特定する方法として、たとえば、空調制御装置１が室内温湿度センサ３より温湿度データを受信する際に、温湿度データと共に受信する室内温湿度センサ３のアドレスを用いる。すなわち、空調制御装置１は、室内温湿度センサ３のアドレスを用いてＴＢＬ１０７を参照し、このアドレスに関連付けて記憶されている室内機ＩＤを読み出す。
【００４８】
制御係数テーブル選択部１０６とは、部屋ごと、つまり室内機ごとに、着衣量と作業強度との組合せに対応する制御係数テーブル識別子を読み出して、制御係数取得部１０８へ送信する手段である。すなわち、制御係数テーブル選択部１０６は、ＴＢＬ１０３を参照して、着衣量算出部１０４より受信した着衣量と、作業強度算出部１０５より受信した作業強度との組合せに関連付けて記憶されている制御係数テーブル識別子を読み出して、制御係数取得部１０８へ送信する。
【００４９】
室内温湿度データ取得部１０７とは、室内温湿度センサ３より室内の温湿度データを受信して、制御係数取得部１０８へ送信する手段である。
【００５０】
制御係数取得部１０８とは、制御係数テーブル選択部１０６より受信した制御係数テーブル識別子に対応する制御係数テーブルを参照して、室内温湿度データ取得部１０７より受信した室内の温湿度データに対応する制御係数を読み出し、制御情報取得部１１１へ送信する手段である。
【００５１】
警報種別取得部１０９とは、デマンド制御装置５から警報種別を受信して、ＤＢ１０１へ記憶する手段である。
【００５２】
制御情報テーブル選択部１１０とは、部屋ごと、つまり、室内機ごとに、警報種別に対応する制御情報テーブルを選択する手段である。すなわち、制御情報テーブル選択部１１０は、ＤＢ１０１から警報種別を読み出し、ＴＢＬ１０５を参照して、読み出した警報種別と室内機ＩＤの組合せに関連付けて記憶されている制御情報テーブル識別子を読み出し、制御情報取得部１１１へ送信する手段である。
【００５３】
制御情報取得部１１１とは、制御情報テーブル選択部１１０より受信した制御情報テーブル識別子に対応するＴＢＬ１０６を参照し、制御係数取得部１０８より受信した制御係数に対応する制御情報を読み出して、制御情報送信部１１２へ送信する手段である。
【００５４】
制御情報送信部１１２とは、制御情報取得部１１１がＴＢＬ１０６より読み出した制御情報を室内機４に送信する手段である。制御情報の送信先である室内機４のアドレスは、室内機ＩＤをもとにＴＢＬ１０７を参照して、読み出して特定する。
制御情報送信部１１２は、制御情報を送信した旨の情報をタイマー１１３へ送信する。
【００５５】
タイマー１１３とは、制御情報送信部１１２が制御情報を送信した旨の情報を受信し、その後、所定の時間が経過することを測定する手段である。タイマー１１３は、所定の時間が経過すると、その旨の情報を時刻判定部１１４へ送信する。
【００５６】
時刻判定部１１４とは、タイマー１１３より所定の時間が経過した旨の情報を受信することに応じ、時刻データ取得部１０１に対して現在の時刻を問い合わせ、所定の時刻であるか否か判定する手段である。時刻判定部１１４は、判定の結果によって、外気温データ取得部１０２に対して外気温度センサ２より室外の温度データを受信する旨の指示をしたり、作業強度算出部１０５に対して現在の時刻に基づいて作業強度を読み出す旨の指示をしたり、室内温湿度データ取得部１０７に対して室内温湿度センサ３より室内の温湿度データを受信する旨の指示をする。
【００５７】
（空調制御処理）
次に、空調制御装置１による空調制御処理について説明する。
図１４は、空調制御装置１による空調制御処理のフローチャートの例である。空調制御装置１は、前述の装置１内の各手段を用いて、以下に説明する空調制御処理を実現する。
【００５８】
（第１の空調制御方法）
まず、空調制御装置１は、時刻データ取得部１０１、外気温データ取得部１０２、月データ取得部１０３のそれぞれを用いて、現在の時刻データ、外気温データ、月データを取得する（Ｓ１，Ｓ２，Ｓ３）。空調制御装置１は、取得した各データを装置１内の記憶手段に記憶しておき、後述の処理で読み出す。
【００５９】
次に、空調制御装置１は、着衣量算出部１０４を用いて、記憶部に記憶した外気温データと月データに関連付けて記憶されている着衣量をＴＢＬ１０１から読み出す（Ｓ４）。たとえば、外気温データが「２０℃」、月データが「４月」であれば、ＴＢＬ１０１から着衣量「普」が読み出される。
【００６０】
次に、空調制御装置１は、作業強度算出部１０５を用いて、記憶部に記憶した現在の時刻データに対応する作業強度をＴＢＬ１０２から読み出す（Ｓ５）。たとえば、現在の時刻データが「８：００」、部屋種別データが「Ｒ２（診察室）」であれば、ＴＢＬ１０２から作業強度「中」が読み出される。
【００６１】
次に、空調制御装置１は、制御係数テーブル選択部１０６を用いて、先に読み出した着衣量と作業強度に関連付けて記憶されている制御係数テーブル識別子をＴＢＬ１０３から読み出す（Ｓ６）。たとえば、着衣量情報が「普」、作業強度情報が「中」であれば、ＴＢＬ１０３から制御係数テーブル識別子「制御係数テーブル２」が読み出される。
【００６２】
次に、空調制御装置１は、室内温・湿度データ取得部１０７を用いて、室内温湿度センサ３から室内温・湿度データを取得する（Ｓ７）。
【００６３】
次に、空調制御装置１は、制御係数取得部１０８を用いて、取得した湿度（相対湿度）と室温に関連付けて記憶されている制御係数を、読み出された制御係数テーブル識別子に対応する制御係数テーブルから取得する（Ｓ８）。
たとえば、図８のＴＢＬ１０４が読み出された制御係数テーブル識別子に対応する制御係数テーブルとしたとき、室内湿度データが「２０℃」、室内温度データが「３０％」であれば、ＴＢＬ１０４から制御係数「＋１」が読み出される。
【００６４】
次に、空調制御装置１は、警報種別取得部１０９を用いて、警報種別をＤＢ１０１から読み出す（Ｓ９）。
【００６５】
次に、空調制御装置１は、制御情報テーブル選択部１１０を用いて、室内機ごとに、読み出した警報種別に関連付けて記憶されている制御情報テーブル識別子をＴＢＬ１０５から読み出す（Ｓ１０）。
たとえば、ＤＢ１０１から読み出した警報種別が「２」であれば、室内機４１については「制御情報テーブル２」、室内機４２については「制御情報テーブル１」、室内機４３については「制御情報テーブル０」が読み出される。
【００６６】
次に、空調制御装置１は、制御情報取得部１１１を用いて、読み出した制御情報テーブル識別子に対応する制御情報テーブルを特定して参照し、先に読み出した制御係数に関連付けて記憶されている制御情報を読み出す（Ｓ１１）。たとえば、図１０のＴＢＬ１０６が読み出された制御情報テーブル識別子に対応する制御情報テーブルとしたとき、先に読み出した制御係数が「＋１」であれば、制御情報「−（風量）」「停止（運転モード）」「０（偏差温度）」が読み出される。
【００６７】
次に、空調制御装置１は、制御情報送信部１１２を用いて、ＴＢＬ１０７を参照して、室内機４のアドレスを読出し、先に読出した制御情報を、室内機４に送信する（Ｓ１２）。
【００６８】
制御情報を送信した空調制御装置１は、タイマー１３を用いて、送信後１分が経過するのを待つ（Ｓ１３）。
【００６９】
１分経過後（Yes）、空調制御装置１は、時刻判定部１１４を用いて、現在の時刻を読み出し、現在の時刻が「８時」か否かを判定する。なお、１分経過しない場合（No）は、引き続きタイマー１３を用いて１分経過するのを待つ（Ｓ１３）。
判定の結果、「８時」であると判定した場合（Yes）、空調制御装置１は、先に説明した外気温データの取得処理（Ｓ２）以降の各処理を実行する。
一方、「８時」でないと判定した場合（No）、空調制御装置１は、現在の時刻が「２１時」か否かを判定する。
【００７０】
判定の結果、「２１時」であると判定した場合（Yes）、空調制御装置１は、先に説明した作業強度算出処理（Ｓ５）以降の各処理を実行する。
「２１時」でないと判定した場合（No）、空調制御装置１は、先に説明した室内温・湿度データ取得処理（Ｓ７）以降の各処理を実行する。
【００７１】
以上説明した第１の空調制御方法によれば、作業強度と着衣量に基づき判断された室内の状況に、室内機の消費エネルギー量を加味した空調制御が可能である。つまり、室内の快適度を保ちながら省エネルギー対策を可能とすることができる。
【００７２】
（第２の空調制御方法）
先に説明した第１の空調制御方法では、制御係数テーブルが着衣量と作業強度の組合せに応じて複数存在するものであった。すなわち、第１の空調制御方法では、図１４の制御係数テーブル選択処理（Ｓ６）において、図７に示したＴＢＬ１０３から作業強度と着衣量の組合せに対応する制御係数テーブル識別子を読み出していた。
これに対して、第２の空調制御方法は、制御係数テーブルが作業強度にのみ対応して複数存在するものである。すなわち、第２の空調制御方法では、図１４に示したフローチャートにおいて、制御係数テーブル選択処理（Ｓ６）に対応する処理は、図７に示す対応表に代えて、作業強度別の制御係数テーブル識別子が記憶されている対応表を用いて、読み出された作業強度（Ｓ５）に対応する制御係数テーブル識別子を読み出す。なお、第２の空調制御方法では、図１４の（Ｓ２，Ｓ３，Ｓ４）に相当する各処理は不要である。その他の処理は、第１の空調制御方法と同様である。
【００７３】
以上説明した第２の空調制御方法によれば、作業強度に基づき判断された室内の状況に、室内機の消費エネルギー量を加味した空調制御が可能であるから、室内の快適度を保ちながら省エネルギー対策を可能とすることができる。
【００７４】
（第３の空調制御方法）
先に説明した第１の空調制御方法では、制御係数テーブルが着衣量と作業強度の組合せに応じて複数存在するものであった。すなわち、第１の空調制御方法では、図１４の制御係数テーブル選択処理（Ｓ６）において、図７に示したＴＢＬ１０３から作業強度と着衣量の組合せに対応する制御係数テーブル識別子を読み出していた。
これに対して、第３の空調制御方法は、制御係数テーブルが着衣量にのみ対応して複数存在するものである。すなわち、第３の空調制御方法では、図１４に示したフローチャートにおいて、制御係数テーブル選択処理（Ｓ６）に対応する処理は、図７に示す対応表に代えて、着衣量別の制御係数テーブル識別子が記憶されている対応表を用いて、読み出された着衣量（Ｓ４）に対応する制御係数テーブル識別子を読み出す。なお、第３の空調制御方法では、図１４の（Ｓ１，Ｓ５）に相当する処理は不要である。その他の処理は、第１の空調制御方法と同様である。
【００７５】
以上説明した第３の空調制御方法によれば、着衣量に基づき判断された室内の状況に、室内機の消費エネルギー量を加味した空調制御が可能であるから、室内の快適度を保ちながら省エネルギー対策を可能とすることができる。
【００７６】
（第４の空調制御方法）
先に説明した第１の空調制御方法では、制御情報テーブルが警報種別ごとに複数存在するものであった。すなわち、第１の空調制御方法では、図１４の制御情報テーブル選択処理（Ｓ１０）において、図１０に示したＴＢＬ１０５から警報種別と室内機ＩＤの組合せに対応する制御情報テーブル識別子を読み出していた。
これに対して、第４の空調制御方法は、制御情報テーブルが室内機ＩＤにのみ対応して複数存在するものである。すなわち、第４の空調制御方法では、図１４に示したフローチャートにおいて、制御情報テーブル選択処理（Ｓ１０）に対応する処理は、図１０に示す対応表に代えて、室内機ＩＤごとの制御情報テーブル識別子が記憶されているデマンド制御テーブルを用いて、室内機ＩＤ別に対応する制御情報テーブル識別子を読み出す。なお、第４の空調制御方法では、図１４の（Ｓ９）に相当する処理は不要である。その他の処理は、第１の空調制御方法と同様である。
【００７７】
以上説明した第４の空調制御方法によれば、着衣量と作業強度に基づき判断された室内の状況を加味して空調制御が可能であるから、室内の快適度を保ちながら省エネルギー対策を可能とすることができる。
【００７８】
（デマンド制御装置５）
次に、デマンド制御装置５について説明する。
図１５は、デマンド制御装置５の実施の形態を示すブロック図である。
デマンド制御装置５は、消費電力量受信部５０１、消費電力量予測値算出部５０２、積算消費電力量算出部５０３、電力量比較部５０４、警報種別判定部５０５、警報種別送信部５０６、及び記憶部を有してなる。
記憶部には、消費電力量ＤＢ５０１、積算消費電力量ＤＢ５０２、契約電力量ＴＢＬ５０１、デマンド第１定義テーブルＴＢＬ５０２、デマンド第２定義テーブルＴＢＬ５０３、送信警報値ＤＢ５０３が記憶されている。
【００７９】
また、デマンド制御装置５は、図示しないが、ＣＰＵ（中央処理装置）とプログラム記憶部とを有する。ＣＰＵは、プログラム記憶部に記憶されたプログラムに従い、デマンド制御装置５の各構成要素を統制制御し、プログラム処理を実行する。プログラム記憶部は、ＲＯＭ（Read Only Memory）やＲＡＭ（Random Access Memory）等で構成され、デマンド制御装置５が使用する各種プログラムを記憶している。
【００８０】
なお、デマンド制御装置５では、本発明にかかるデマンド制御プログラムが動作してデマンド制御装置５内の各手段を制御することで、以下に説明するデマンド制御方法を実現する。
【００８１】
以下、デマンド制御装置５内の各手段について説明する。
まず、記憶部に記憶されている各データベースについて説明する。
【００８２】
（消費電力量データベース）
消費電力量データベースＤＢ５０１とは、電力計６から受信した消費電力量（実測値）と、デマンド制御装置５が予測した消費電力量（予測値）を記憶するデータベースである。ここで、デマンド制御装置５は、１分おきに電力計６から室内機３１，３２，３３の消費電力量の合計値を受信するものとし、電力計６から消費電力量を受信する都度、予測値を算出するものとする。
【００８３】
図２０は、ＤＢ５０１に記憶されている情報の例を示す模式図であり、１０個の消費電力量（実測値）と、９個の消費電力量（予測値）が記憶されていることを示している。図２０（ａ）〜（ｃ）は、それぞれ、時刻「０：１０」「０：１１」「０：１２」時点のＤＢ５０１に記憶されている情報の例を示している。
すなわち、（ａ）は、「０：０１」、「０：０２」、・・・、「０：０９」の各消費電力量「１」を受信していたデマンド制御装置５が、「０：１０」の消費電力量「１」を受信し、「０：１１」〜「０：１９」の９個の消費電力量（予測値）「１」を算出したことを示している。
（ｂ）は、デマンド制御装置５が「０：１１」の消費電力量「３」を受信し、「０：１２」〜「０：２０」の９個の消費電力量（予測値）「３」を算出したことを示している。
（ｃ）は、デマンド制御装置５が「０：１２」の消費電力量「４」を受信し、「０：１３」〜「０：２１」の９個の消費電力量（予測値）「４」を算出したことを示している。
【００８４】
このように、デマンド制御装置５は、電力計６から消費電力量を受信する都度、消費電力量（予測値）を算出して、ＤＢ５０１に記憶されている情報を更新する。更新方法は、ＤＢ５０１に記憶されている、１０個の実測値のうち最も古い実測値１個と、９個の予測値を削除した上で、電力計６から受信した１個の実測値と、新たに算出した９個の予測値を記憶するようにして行われる。
なお、予測値は所定の計算式を備えたプログラムにより、たとえば、実測値の時間的推移をもとに算出し、あるいは、過去（たとえば１年前）の同じ時期の実測値（デマンド制御装置５内の図示しない記憶手段に記憶されている）をもとに算出する。
【００８５】
（積算消費電力量データベース）
積算消費電力量データベースＤＢ５０２とは、積算消費電力量を記憶するデータベースである。
図１６は、ＤＢ５０２に記憶されている情報の例を示す模式図であり、積算計ＩＤごとの積算消費電力量が記憶されていることを示している。ここで、積算計ＩＤとは、積算消費電力量を算出するプログラムの識別子である。デマンド制御装置５は、１０個の積算プログラム（積算計１〜１０）を有してなり、各積算計は、１０分間の消費電力量を合計して積算消費電力量を算出する。つまり、積算計Ｎ（Ｎ＝１〜１０）は、（１１−Ｎ）個の実測値と（Ｎ−１）個の予測値を合計して積算消費電力量を算出する。すなわち、図２０に示した時刻「０：１０」時点であれば、積算計１は時刻「０：０１」〜「０：１０」の１０個の実測値を合計して積算消費電力量を算出し、積算計２は時刻「０：０２」〜「０：１０」の９個の実測値と「０：１１」の１個の予測値を合計して積算消費電力量を算出する。
【００８６】
（契約電力量テーブル）
契約電力量テーブルＴＢＬ５０１とは、契約電力量を記憶しているデータベースである。契約電力量とは、たとえば、病院と電力会社との間で取り決めた消費電力量の上限値である。すなわち、病院は、室内機４１，４２，４３の消費電力量の合計値が契約電力量以下となるように各室内機を動作させ、仮に、契約電力量を超過したときには、ペナルティの料金を電力会社に支払う旨、電力会社と契約している。電力会社は、契約電力量をもとに電力の供給計画を立案することができる。
図１７は、ＴＢＬ５０１に記憶されている情報の例を示す模式図であり、契約電力量「２０（kwh）」が記憶されていることを示している。
なお、本発明において、契約電力量は許容エネルギー量の例である。
【００８７】
（デマンド第１，第２定義テーブル）
デマンド第１定義テーブルＴＢＬ５０２及びデマンド第２定義テーブルＴＢＬ５０３とは、ＤＢ５０２に記憶されている積算消費電力量と、ＴＢＬ５０１に記憶されている契約電力量とを比較した結果に対応する警報種別を記憶しているデータベースである。
図１８（ａ）は、ＴＢＬ５０２に記憶されている情報の例を示す模式図であり、警報種別「０」が記憶されていることを示している。図１８（ｂ）は、ＴＢＬ５０３に記憶されている情報の例を示す模式図であり、積算計ＩＤ「１」〜「４」と関連付けて警報種別「２」、積算計ＩＤ「５」〜「１０」と関連付けて警報種別「１」が記憶されていることを示している。
積算消費電力量と契約電力量との比較結果と、ＴＢＬ５０２，５０３に記憶されている警報種別との関係については後述する。
【００８８】
（送信警報値データベース）
送信警報値データベースＤＢ５０３とは、デマンド制御装置５が空調制御装置１に送信した警報種別を記憶するデータベースである。ＤＢ５０３に記憶されている情報は、警報種別判定部５０５が警報種別を判定するごとに更新される（更新の前後を通じて警報種別が同じときに上書きされる場合を含む）。
【００８９】
次に、デマンド制御装置５が備える、消費電力量受信部５０１、消費電力量予測値算出部５０２、積算消費電力量算出部５０３、電力量比較部５０４、警報種別判定部５０５、警報種別送信部５０６、の各手段について説明する。
【００９０】
消費電力量受信部５０１とは、室内機４が消費する消費電力量を電力計６から受信して、ＤＢ５０１に記憶する手段である。
【００９１】
消費電力量予測値算出部５０２とは、消費電力量受信部５０１が受信した消費電力量に基づいて、消費電力量の予測値（以下、「予測消費電力量」という）を算出して、ＤＢ５０１に記憶する手段である。
【００９２】
積算消費電力量算出部５０３とは、消費電力量受信部５０１から受信した消費電力量と、消費電力量予測値算出部５０２から受信した予測消費電力量を用いて、積算消費電力量を算出してＤＢ５０２に記憶する手段である。
【００９３】
電力量比較部５０４とは、ＤＢ５０２に記憶されている積算消費電力量と、ＴＢＬ５０１に記憶されている契約電力量の大小を比較して、比較結果を警報種別判定部５０５に送信する手段である。比較結果とは、契約電力量を超過している積算消費電力量が存在するか否かを示す情報であり、存在する場合には、超過している積算消費電力量に対応する積算計ＩＤを示す情報である。ここで、複数の積算消費電力量が契約電力量を超過しているときには、対応する積算計ＩＤのうち最小の積算計ＩＤとする。すなわち、たとえば、積算計ＩＤ「１」〜「１０」のうち、契約電力量を超過している積算消費電力量に対応する積算計ＩＤが「７」〜「１０」であれば、比較結果は「７」である。
【００９４】
警報種別判定部５０５とは、電力量比較部５０４から受信した比較結果に対応する警報種別を、ＴＢＬ５０２またはＴＢＬ５０３から読み出して、警報種別送信部５０６に送信する手段である。
【００９５】
警報種別送信部５０６とは、警報種別判定部５０５で読み出された警報種別を、空調制御装置１に送信し、ＤＢ５０３に記憶するする手段である。
なお、警報種別送信部５０６は、警報種別判定部５０５から警報種別を受信した際にＤＢ５０３を参照して、警報種別判定部５０５から受信した警報種別とＤＢ５０３に記憶されている警報種別とが一致するか否かを判定し、一致しないと判定したときにのみ、警報種別判定部５０５から受信した警報種別を空調制御装置１へ送信する。
ただし、本発明における警報種別の空調制御装置１への送信方法はこれに限らず、上記一致するか否かの判定をすることなく、警報種別送信部５０６は、警報種別判定部５０５から警報種別を受信する都度、受信した警報種別を空調制御装置１へ送信するように構成してもよい。この場合、ＤＢ５０３は、不要とすることができる。
【００９６】
（警報種別の判定方法）
次に、警報種別判定部５０５による警報種別の判定方法（読み出し方法）について、図１６に示したＤＢ５０２に記憶されている積算消費電力量を例にして説明する。
【００９７】
図１６（ａ）に示す時刻「０：１０」時点では、積算計１〜１０の積算消費電力量のいずれも「１０（kwh）」が、契約電力量「２０（kwh）」を超過していない。そのため、前述のとおり、警報種別判定部５０５は、電力量比較部５０４から契約電力量を超過している積算消費電力量は存在しない旨の比較結果を受信する。この比較結果を受信した場合、警報種別判定部５０５は、ＴＢＬ５０２を参照して、警報種別「０」を読み出す。
【００９８】
図１６（ｂ）に示す時刻「０：１１」時点では、積算計６〜１０の積算消費電力量が契約電力量「２０（kwh）」を超過している。そのため、前述のとおり、警報種別判定部５０５は、比較結果として、超過している積算計のうち最も小さい積算計ＩＤ「６」を電力量比較部５０４から受信する。この比較結果を受信した場合、警報種別判定部５０５は、ＴＢＬ５０３を参照して、比較結果「６」に対応する警報種別「１」を読み出す。
【００９９】
図１６（ｃ）に示す時刻「０：１２」時点では、積算計３〜１０の積算消費電力量が契約電力量「２０（kwh）」を超過している。そのため、前述のとおり、警報種別判定部５０５は、比較結果として、超過している積算計のうち最も小さい積算計ＩＤ「３」を電力量比較部５０４から受信する。この比較結果を受信した場合、警報種別判定部５０５は、ＴＢＬ５０３を参照して、比較結果「３」に対応する警報種別「２」を読み出す。
【０１００】
このように、警報種別判定部５０５は、電力量比較部５０４から受信した比較結果に応じて参照するデマンド定義テーブルを選択した上で、比較結果に対応する警報種別を読み出す。
【０１０１】
（デマンド制御処理）
次に、デマンド制御装置５によるデマンド制御処理について説明する。
図１９は、デマンド制御装置５が実行するデマンド制御処理の例を示すフローチャートである。デマンド制御装置５は、前述の装置５内の各手段を用いて、以下に説明するデマンド制御処理を実現する。
【０１０２】
まず、デマンド制御装置５は、消費電力量受信部５０１を用いて、１分ごとに電力計６から消費電力量（実測値）を受信してＤＢ５０１に記憶する（Ｔ１）。
【０１０３】
次に、デマンド制御装置５は、消費電力量予測値算出部５０２を用いて、９個の消費電力量（予測値）を算出してＤＢ５０１に記憶する（Ｔ２）。
【０１０４】
次に、デマンド制御装置５は、積算消費電力量算出部５０３を用いて、ＤＢ５０１から消費電力量の実測値と予測値を読み出し、積算消費電力量を算出してＤＢ５０２に記憶する（Ｔ３）。
【０１０５】
次に、デマンド制御装置５は、電力量比較部５０４を用いて、ＤＢ５０２とＴＢＬ５０１から積算消費電力量と契約電力量を読み出し（Ｔ４）、読み出した１０個の積算消費電力量のそれぞれと契約電力量との大小を比較する（Ｔ５）。
【０１０６】
積算消費電力量と契約電力量の大小の比較の結果、１０個の積算消費電力量のいずれもが契約電力量を超過していないと判定したとき（Ｎｏ）は、デマンド制御装置５は比較結果に対応する警報種別を判定する（Ｔ６１）。すなわち、前述のとおり、デマンド制御装置５は、ＴＢＬ５０２から警報種別「０」を読み出す。
【０１０７】
一方、積算消費電力量と契約電力量の大小の比較の結果、１０個の積算消費電力量のいずれかが契約電力量を超過していると判定した（Ｙｅｓ）ときは、デマンド制御装置５は比較結果に対応する警報種別を判定する（Ｔ６２）。すなわち、前述のとおり、デマンド制御装置５は、比較結果である積算計ＩＤと関連付けて記憶されている警報種別をＴＢＬ５０３から読み出す。
【０１０８】
次に、デマンド制御装置５は、警報種別送信部５０６を用いて、ＴＢＬ５０２またはＴＢＬ５０３から読み出された警報種別を、空調制御装置１に送信する（Ｔ７）。このとき、デマンド制御装置５は、読み出した警報種別とＤＢ５０３に記憶されている警報種別とが一致しないときにのみ、読み出した警報種別を空調制御装置１に送信する。
【０１０９】
デマンド制御装置５から警報種別を受信した空調制御装置１は、前述のとおり、複数の制御情報テーブルの中から警報種別に応じたテーブルを選択して、空調制御処理を行う。
【０１１０】
このように、本システムは、着衣量、作業強度、室内温湿度に加えて、さらに、室内機の消費電力量（実測値と予測値）に基づいて、室内機の動作を制御することができる。すなわち、本システムによれば、室内の快適度を保ちつつ省エネルギー対策を可能とする空調制御を実現することができる。
【図面の簡単な説明】
【０１１１】
【図１】本発明にかかる空調制御システムの実施の形態を示す模式図である。
【図２】上記システムを構成する装置群の接続形態の例を示すネットワーク構成図である。
【図３】上記システムで使用する情報の関係を示す模式図である。
【図４】上記システムを構成する空調制御装置の例を示すブロック図である。
【図５】上記空調制御器装置の着衣量テーブルに記憶されている情報の例を示す模式図である。
【図６】上記空調制御器装置の作業強度テーブルに記憶されている情報の例を示す模式図である。
【図７】上記空調制御装置が制御係数テーブルを選択するために用いる対応表に記憶されている情報の例を示す模式図である。
【図８】上記空調制御装置内の制御係数テーブルに記憶されている情報の例を示す模式図である。
【図９】上記空調制御装置内の警報種別データベースに記憶されている情報の例を示す模式図である。
【図１０】上記空調制御装置内のデマンド制御テーブルに記憶されている情報の例を示す模式図である。
【図１１】上記空調制御装置内の制御情報テーブルに記憶されている情報の例を示す模式図である。
【図１２】上記空調制御装置内のアドレステーブルに記憶されている情報の例を示す模式図である。
【図１３】上記空調制御装置が送信する制御情報の例を示す模式図である。
【図１４】上記システムによる空調制御処理の例を示すフローチャートである。
【図１５】上記システムを構成するデマンド制御装置の例を示すブロック図である。
【図１６】上記デマンド制御装置内の積算消費電力量データベース内に記憶されている情報の例を示す模式図である。
【図１７】上記デマンド制御装置内の契約電力量テーブル内に記憶されている情報の例を示す模式図である。
【図１８】上記デマンド制御装置のデマンド定義テーブル内に記憶されている情報の例を示す模式図である。
【図１９】上記デマンド制御装置によるデマンド制御処理の例を示すフローチャートである。
【図２０】上記デマンド制御装置内に記憶されている消費電力量の実測値と予測値の関係の例を示す模式図である。
【図２１】上記デマンド制御装置により算出される積算消費電力量の例を示す模式図である。
【図２２】上記デマンド制御装置により算出される積算消費電力量の別の例を示す模式図である。
【図２３】上記デマンド制御装置により算出される積算消費電力量のさらに別の例を示す模式図である。
【符号の説明】
【０１１２】
１            空調制御装置
２            外気温度センサ
３            室内温湿度センサ
４            室内機
５            デマンド制御装置
６            電力計
ＴＢＬ１０１  着衣量テーブル
ＴＢＬ１０２  作業強度テーブル
ＴＢＬ１０３  対応表
ＴＢＬ１０４  制御係数テーブル
ＴＢＬ１０５  デマンド制御テーブル
ＴＢＬ１０６  制御情報テーブル
ＴＢＬ１０７  アドレステーブル
ＤＢ１０１    警報種別データベース
ＴＢＬ５０１  契約電力量テーブル
ＴＢＬ５０２  デマンド第１定義テーブル
ＴＢＬ５０３  デマンド第２定義テーブル
ＤＢ５０１    消費電力量データベース
ＤＢ５０２    積算消費電力量データベース
ＤＢ５０３    送信警報値データベース
【図１】
2007298229.tif 000003
【図２】
2007298229.tif 000004
【図３】
2007298229.tif 000005
【図４】
2007298229.tif 000006
【図５】
2007298229.tif 000007
【図６】
2007298229.tif 000008
【図７】
2007298229.tif 000009
【図８】
2007298229.tif 000010
【図９】
2007298229.tif 000011
【図１０】
2007298229.tif 000012
【図１１】
2007298229.tif 000013
【図１２】
2007298229.tif 000014
【図１３】
2007298229.tif 000015
【図１４】
2007298229.tif 000016
【図１５】
2007298229.tif 000017
【図１６】
2007298229.tif 000018
【図１７】
2007298229.tif 000019
【図１８】
2007298229.tif 000020
【図１９】
2007298229.tif 000021
【図２０】
2007298229.tif 000022
【図２１】
2007298229.tif 000023
【図２２】
2007298229.tif 000024
【図２３】
2007298229.tif 000025
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
複数の室内のそれぞれに設置された室内機と、これら各室内機の消費エネルギー量の総量に応じて複数の警報種別のいずれかを送信するデマンド制御装置、のそれぞれと通信ネットワークを介して接続し、
室内機が設置されている室内の温湿度を所定の範囲内に保ちつつ室内機の消費エネルギー量の省エネルギー化を実現するために、室内機が設置されている室内の温湿度と作業強度と各室内機の消費エネルギー量の総量とに基づいて、各室内機の動作を制御する装置であって、
温湿度と制御係数との対応関係が設定されている制御係数テーブルと、制御係数と制御情報との対応関係が設定されている制御情報テーブルと、をそれぞれ複数備えた記憶部と、
上記複数の警報種別のいずれかを上記デマンド制御装置から受信する受信手段と、
室内機ごとに、室内機が設置されている室内の温湿度と作業強度とを特定し、この特定した温湿度に対応する制御係数を制御係数テーブルから読み出し、この読み出した制御係数に対応する制御情報を制御情報テーブルから読み出して室内機に送信する制御手段と、
を有してなり、
上記制御情報には、室内機の動作を制御するための情報であって、風量、運転モード、偏差温度、のうち、少なくともいずれか１つに関する情報が含まれていて、
上記制御手段は、
上記特定した室内の作業強度に基づいて、制御係数を読み出す制御係数テーブルを上記複数の制御係数テーブルの中から選択し、
上記受信した警報種別に基づいて、制御情報を読み出す制御情報テーブルを上記複数の制御情報テーブルの中から選択する、
ことを特徴とする空調制御装置。
【請求項２】
記憶部は、室内機が設置されている室内の作業強度が設定されている作業強度テーブルを、さらに備え、
制御手段は、上記作業強度テーブルを参照して、室内機が設置されている室内の作業強度を特定する、
請求項１記載の空調制御装置。
【請求項３】
室内機が設置されている複数の室内のそれぞれには室内の温湿度を感知する温湿度センサが設置されていて、
各温湿度センサと通信ネットワークを介して接続し、
制御手段は、上記温湿度センサから受信した温湿度データにより、室内機が設置されている室内の温湿度を特定する、
請求項１記載の空調制御装置。
【請求項４】
コンピュータを、請求項１乃至３のいずれかに記載の空調制御装置として機能させることを特徴とする空調制御プログラム。
【請求項５】
複数の室内のそれぞれに設置された室内機と、これら各室内機の消費エネルギー量の総量に応じて複数の警報種別のいずれかを送信するデマンド制御装置、のそれぞれと通信ネットワークを介して接続し、
温湿度と制御係数との対応関係が設定されている制御係数テーブルと、制御係数と制御情報との対応関係が設定されている制御情報テーブルと、をそれぞれ複数備えた記憶部を備え、
室内機が設置されている室内の温湿度を所定の範囲内に保ちつつ室内機の消費エネルギー量の省エネルギー化を実現するために、室内機が設置されている室内の温湿度と作業強度と各室内機の消費エネルギー量の総量とに基づいて、各室内機の動作を制御するコンピュータにより実行される方法であって、
上記制御情報には、室内機の動作を制御するための情報であって、風量、運転モード、偏差温度、のうち、少なくともいずれか１つに関する情報が含まれていて、
上記コンピュータが、
上記複数の警報種別のいずれかを上記デマンド制御装置から受信するステップと、
室内機ごとに、室内機が設置されている室内の温湿度と作業強度を特定し、特定した室内の作業強度に基づいて上記複数の制御係数テーブルの中から制御係数テーブルを選択し、上記受信した警報種別に基づいて上記複数の制御情報テーブルの中から制御情報テーブルを選択し、特定した温湿度に対応する制御係数を上記選択した制御係数テーブルから読み出し、この読み出した制御係数に対応する制御情報を上記選択した制御情報テーブルから読み出して室内機に送信するステップと、
を有してなることを特徴とする空調制御方法。